(57)【要約】【課  題】骨材の洗浄、分級、選別が一台の装置で、しかも洗浄が十分に行えるような分級装置を提供する。【解決手段】洗浄ドラム４は、排出口側を下向きにしてタンク２内に斜めに配置され、下側部がタンク２内の水に浸かった状態でタンク２とは逆向きに回転する。洗浄ドラム４に水と共に供給された骨材は水に浸かった状態でドラム４の回転により混ぜ合わされ、骨材に付着する泥土を除去する。除去された泥土や細かな骨材のうち、沈降し切れないものはタンク２の排水口２より水と共に排出される。洗浄された骨材は洗浄ドラム４に接続される選別ドラム５に送られ、第２の篩い部２３により篩い落され選別される。【選択図】  図１
2004337747.tif 000002
【特許請求の範囲】
【請求項１】
排水口を備え、排水口に達するレベルまで水が貯留されるタンクと、該タンク内に横向きをなして回転可能に配置され、メッシュの細かな網状体或いは多孔板よりなる第１の篩い部を備え、少なくとも下側部が排水口に達するレベルまで貯まるタンク内の水に漬かる洗浄ドラムと、該ドラムを回転させる駆動装置と、上記洗浄ドラム内に骨材或いは骨材と水を供給する供給手段と、上記第１の篩い部を通してタンク底に沈降するサイズの細かな骨材をタンク外に排出する排出手段と、上記洗浄ドラムの排出口に接続され、上記第１の篩い部よりメッシュの粗い網状体或いは多孔板よりなる第２の篩い部を有する選別ドラムと、上記洗浄ドラム内の骨材を排出口に送る送り手段とよりなることを特徴とする分級装置。
【請求項２】
洗浄ドラムが排出口を下向きにして傾斜することを特徴とする請求項１記載の分級装置。
【請求項３】
洗浄ドラム内に螺旋翼を突設して骨材を螺旋送りすることを特徴とする請求項１記載の分級装置。
【請求項４】
タンクが回転可能に支持されるドラムよりなって洗浄ドラムを回転させる駆動装置とは別の駆動装置により回転され、内部にはタンク底に溜まる骨材を送る螺旋翼が突設されることを特徴とする請求項１ないし３のいずれかの請求項に記載の分級装置。
【請求項５】
タンクが洗浄ドラムと逆向きに回転されることを特徴とする請求項１ないし４のいずれかの請求項に記載の分級装置。
【請求項６】
排出口に排出される骨材の水切りがタンク内で行われることを特徴とする請求項１ないし５のいずれかの請求項に記載の分級装置。
【発明の詳細な説明】
【０００１】
【発明が属する技術分野】
本発明は、砂利や砂、とりわけ砕石や砕砂などのコンクリート用の骨材（以下、単に「骨材」という）を洗浄して分級し、サイズによる選別を行う分級装置に関する。
【０００２】
【従来技術】
骨材を洗浄して骨材に付着する泥土を除去する洗浄装置、タンクに骨材と水を供給して沈積した骨材をスパイラルやレーキで搬出して取り出すと共に、沈降し切れない粒子を水と共に排出させる分級機、メッシュによる篩い分けを行ってサイズによる選別を行う選別機はそれぞれ知られており、洗浄と選別を行う装置も知られている。
【０００３】
下記特許文献１には、ドラム内周面に多数の送り板をドラム回転方向に対して３０°〜６０°の角度で傾斜させて突設し、排出口側に洗浄した骨材を掻き上げて排出口に排出する掬い上げ板を設けた洗浄用ドラムと、該ドラムの排出口に接続され、網状体又は多孔板からなる篩い部を１又は複数備えた分別用ドラムと、各ドラムを回転させる駆動装置と、洗浄用ドラム内に骨材と水を供給するフィーダよりなり、洗浄用ドラムの回転によりドラム内に供給された骨材は、送り板により排出口側に送られる間、送り板やドラム内周面との摩擦、衝突時における衝撃、骨材同士の摩擦や衝突による衝撃により、骨材に付着した泥土が除去され（除去された泥土は水により洗い流され、排出口側のドラム或いは排出口より排出される）、ついで排出口側で掬い上げ板により掻き上げられて排出口に排出されたのち、分別用ドラムでサイズによって分別されるようになっている。
【０００４】
【特許文献１】特開２０００−１５７８９０号
【０００５】
【発明が解決しようとする課題】
上記特許文献１に開示される装置では、
（１）洗浄用ドラムに供給された水は、骨材から除去された泥土を洗い流すだけで分級は行っていない。
【０００６】
（２）骨材からの泥土の除去は、送り板、ドラム内周面、骨材同士の摩擦や衝突による衝撃により行っており、摩擦や衝撃だけでは骨材に付着した泥土の除去が不十分となりがちである。
（３）ドラム内での骨材の送りは、送り板によって行っているが、こうした送り板は骨材との摩擦や衝撃により損耗し易く、ドラムの構造を複雑にし、また送り板は不連続であるため、送り効率が悪い。
【０００７】
（４）泥土を洗い流した水は、ドラムや排出口の下側部より排出されている。
これに対し、本発明の第１の目的は、骨材の洗浄、分級、選別を一つの装置で行い、しかも骨材からの泥土の除去を十分に行うことができる分級装置を提供しようとするものであり、第２の目的は、骨材の送り装置の構造を簡単にして損耗箇所を少なくした分級装置を提供しようとするものである。
【０００８】
また本発明の第３の目的は、骨材の送り効率を高めた分級装置を提供しようとするものであり、第４の目的は、水の使用量をより少なくした分級装置を提供しようとするものである。
【０００９】
【課題の解決手段】
請求項１に係わる発明は、排水口を備え、排水口に達するレベルまで水が貯留されるタンクと、該タンク内に横向きをなして回転可能に配置され、メッシュの細かな網状体或いは多孔板よりなる第１の篩い部を備え、少なくとも下側部が排水口に達するレベルまで貯まるタンク内の水に漬かる洗浄ドラムと、該ドラムを回転させる駆動装置と、上記洗浄ドラム内に骨材或いは骨材と水を供給する供給手段と、上記第１の篩い部を通してタンク底に沈降するサイズの細かな骨材をタンク外に排出する排出手段と、上記洗浄ドラムの排出口に接続され、上記第１の篩い部よりメッシュの粗い網状体或いは多孔板よりなる第２の篩い部を有する選別ドラムと、上記洗浄ドラム内の骨材を排出口に送る送り手段とよりなることを特徴とする。
【００１０】
本発明によると、洗浄ドラムの回転によりドラム内の骨材が水に漬かった状態で互いに擦られたり、ぶつかったりすることにより、また一部の骨材が水面上に露出する場合には、洗浄ドラムの回転に伴い崩れ落ちる骨材が水面に当たることにより、更には波立つ水面でじゃぶじゃぶ洗われることにより、骨材に付着する泥土が十分に除去されるようになり、沈降し切れない粒子は水と共に排出口より排出されるようになる。
【００１１】
また骨材は、第１の篩い部を通って篩い分けられるサイズのものと、第２の篩い部を通って篩い分けられるサイズのものと、第２の篩い部によっても篩い分けされないサイズのものとに選別されるようになる。したがって本発明によると、骨材の洗浄、分級、選別が一つの装置で行えるようになる。なお、選別に関しては、選別ドラムに第２の篩い部のほか該篩い部よりメッシュの粗い網状体或いは多孔板よりなる第３の篩い部、更には第４、第５の篩い部を設けて骨材のサイズを更に選別できるようにすることもできる。
【００１２】
本発明の供給手段は、骨材或いは骨材と水がドラム内に供給できるようなものであればよく、とくに制限はないが、敢えて例示すれば以下の実施形態に示されるようなシュート状のフィーダが挙げられる。
【００１３】
排出手段も例えばタンク底に溜まる骨材を掻き取り板により掻き取る方法、タンク底を傾斜させて骨材を自重により移動させる方法、以下の実施形態に示されるようにタンクに螺旋翼を突設してタンクを回転させ、骨材を螺旋送りする方法、タンクに特許文献１に示されるような送り板を突設し、タンクを回転させることにより骨材を送る手段等と、この手段によって集められた骨材を掻き上げてタンク外に排出させる掻き上げ板やバケットよりなるものなど、タンク底に溜まる骨材を排出できるものであればどのようなものでもよい。
【００１４】
送り手段についても、例えば洗浄ドラムを傾斜させて骨材を自重により移動させる方法、洗浄ドラムに螺旋翼或いは特許文献１に開示されるような送り板を突設して洗浄ドラムの回転により送る手段等と、この手段によって集められた骨材を掻き上げて排出口に排出させる掻き上げ板やバケットよりなるものなど、洗浄ドラム内の骨材をドラム内で移動させて排出口に送ることができるようなものであればどのようなものでもよい。
【００１５】
請求項２に係わる発明は、第２の目的を達成する分級装置に関するもので、請求項１に係わる発明において、洗浄ドラムが排出口を下向きにして傾斜することを特徴とする。この場合、送り手段は傾斜した洗浄ドラムとなる。
【００１６】
本発明によると、洗浄ドラム内に例えば螺旋翼や送り板のような骨材を送るためのものが必要でないため、洗浄ドラムの構成が簡単となり、損耗を生ずる箇所も少なくなる。
【００１７】
なお、請求項２に係わる発明は、請求項１に係わる発明の横向きをなす洗浄ドラムを傾斜させた点に限定したものである。したがって請求項１に係わる発明の横向きをなす洗浄ドラムは、傾斜した洗浄ドラムを含むものとなる。
【００１８】
請求項３に係わる発明は、第３の目的を達成する分級装置に関するもので、請求項１に係わる発明において、洗浄ドラム内に螺旋翼を突設して骨材を螺旋送りすることを特徴とする。
【００１９】
本発明によると、螺旋翼は連続形成されるため洗浄ドラムの回転により骨材を連続送りすることができ、特許文献１に開示される送り板に比べ、送り効率が向上する。
【００２０】
請求項４に係わる発明は、請求項１ないし３に係わる発明において、タンクが回転可能に支持されるドラムよりなって洗浄ドラムを回転させる駆動装置とは別の駆動装置により回転され、内部にはタンク底に溜まる骨材を送る螺旋翼が突設されることを特徴とし、請求項５に係わる発明は、請求項１ないし４に係わる発明において、タンクが洗浄ドラムと逆向きに回転されることを特徴とする。
【００２１】
請求項４に係わる発明によると、タンク底に溜まる泥土や骨材が確実に螺旋送りされ、また請求項５に係わる発明によると、タンクと洗浄ドラムが互いに逆向きに回転することによりタンク内の水の動きが激しくなり、骨材に付着する泥土が除去され易くなる。
【００２２】
請求項６に係わる発明は、第４の目的を達成する分級装置に関するもので、請求項１ないし５に係わる発明において、排出口に排出される骨材の水切りがタンク内で行われることを特徴とする。
【００２３】
特許文献１に開示されるように、排水が洗浄用ドラムの下側部から行われるようになっていると、泥土を洗い流すのに必要な水が全て排出されるようになるが、本発明のように排水が排水口から溢れ出ることにより行われるようにすれば、排水量を分級に必要な量だけに制限することができ、水の使用量が少なくてすむ。
【００２４】
【発明の実施の形態】
図１は、本発明に係わる分級装置について示すもので、回転可能に支持されて一側に排水口１を備え、駆動装置１０により回転する円筒形のドラムよりなるタンク２と、タンク２内に排出口側を斜め下向きにして回転可能に支持され、前後に設けた駆動装置３ａ、３ｂにより回転する円筒形の洗浄ドラム４と、洗浄ドラム４の排出口に接続される選別ドラム５と、洗浄ドラム内に骨材と水を供給する供給手段としてのシュート状のフィーダ６とよりなり、タンク２内には螺旋翼７が突設され、タンク２の回転によりタンク底部に溜まる泥土や骨材が螺旋送りされ、排出口側に送られるようになっている。
【００２５】
タンク２の排出口側には図２に示すように、バケット８が円周方向に定間隔で内向きに突出されると共に、排出シュート９が配置され、タンク２の回転により排出口側に送られた骨材をバケット８で掬い取って排出シュート上まで運び、排出シュート９に投下して排出させるようになっている。なお、バケット８には図示していないが水切り孔が設けられ、骨材を排出シュート上まで運ぶ間に骨材の水切りを行うようになっており、したがって排出シート９には水切りをされた骨材が排出されるようになっている。
【００２６】
タンク２を回転させる駆動装置１０は、図３に示すように、向かい合わせに配置され、タンク２が載置されるコロ１１と、各コロ１１をチェーン伝動機構１２を介して回転駆動するモータ１３とよりなり、各モータ１３でコロ１１を図３の矢印方向に回転駆動することによりタンク２がコロ上を転動して矢印方向に回転するようになっている。
【００２７】
洗浄ドラム４は、環状をなす側板１５ａ、１５ｂと断面Ｔ形をなして円周上に一定間隔で配置され、両側板１５ａ、１５ｂを連結する連結板１６と、各連結板１６間に円周上に沿うように配設されて環状をなし、無数の小孔を備えた多孔板１７と、入り側の側板１５ａに固着され、フィーダ６が差し込まれる筒状の入口１８と、連結板１６と一体をなし、出側の側壁１５ｂに挿入される選別ドラム５の挿入部分と洗浄ドラム４とを連結する多孔状の掻き上げ板１９とよりなっており、多孔板１７は第１の篩い部を構成し、また、洗浄ドラム４を回転させる駆動装置３ａ、３ｂはタンク２を回転させる上述の駆動装置と同様に構成され、入口１８と、掻き上げ板１９を介して洗浄ドラム４と一体に連結される選別ドラム５を回転可能に支持して、洗浄ドラム４を図３に示すように、タンク２とは逆向きに回転させるようになっている。
【００２８】
選別ドラム５は、洗浄ドラム４への挿入部分に投入口２１を掻き上げ板１９に近接して形成し、洗浄ドラム４の回転に伴い掻き上げ板１９で掻き上げられた骨材が選別ドラム内に投入されるようになっている。
【００２９】
選別ドラム５はまた、図１に示すように出側に上記多孔板１７に比べ孔のサイズが大きな多孔板よりなる第２の篩い部２３を有している。必要によっては選別ドラム５に第２の篩い部２３のほかに孔のサイズが更に大きな多孔板よりなる第３ないし第４の篩い部を設けることもできる。
【００３０】
本装置は以上のように構成され、骨材の洗浄、分級及び選別は次のようにして行われる。
タンク２内には、排水口１に達するレベルまで水が貯められており、洗浄ドラム４は下側部が水に浸けられ、水に浸かる部分は排出口側に向かう程深くなっている。タンク２と洗浄ドラム４は、図３に示すように逆向きに回転されており、こうした状態で洗浄ドラム４内にフィーダ６により骨材と水が供給される。
【００３１】
洗浄ドラム内に供給された骨材は、洗浄ドラム４の回転により更には内向きに突出する連結板１６によっても掻き上げられながら混ぜ合わされ、排出口側に向かって移動している。この間、水に浸かり、或いは水面上に露出する骨材同士が、更にはまた連結板１６とぶつかったり、擦られたりし、また水面上の骨材が洗浄ドラム４の回転により崩れ落ちて水面に当たったり、波立つ水面でじゃぶじゃぶ洗われることにより骨材に付着する泥土が洗浄除去される。除去された泥土は骨材の細かな粒子と共に第１の篩いである多孔板１７で篩い落され、タンク底部に沈降するが、沈降し切れない粒子は、排水口１より溢れ出る水と共に排出される。タンク底部に沈降した泥土や骨材の細かな粒子はタンク２の回転に伴い、螺旋翼７により螺旋送りされ、排出口側に移動する。そして図２に示すように、排出口側においてバケット８により掬い取られ、排出シュート９上まで運んで（この間、バケット８の水切り孔により水切りされる）、排出シュート９に投下され、排出される。
【００３２】
一方、洗浄ドラム４の回転に伴い排出口側に移動した洗浄後の骨材は、掻き上げ板１９により掻き上げられ、水面上に掻き上げられて水切りされたのち投入口２１より選別ドラム５内に投下される。その後、選別ドラム５の回転に伴い傾斜した選別ドラム５に沿い移動して第２の篩い部２３でサイズの比較的小さな骨材を篩い落す。篩い落されなかったサイズの比較的大きな骨材は選別ドラム端より排出される。
以上のようにして洗浄ドラム４内に供給された骨材の洗浄、分級、選別が行われる。
【００３３】
【発明の効果】
請求項１に係わる発明によると、骨材が水に浸かった状態で、或いはまた一部の骨材が水面に露出した状態で混ぜ合わせられることにより、骨材に付着する泥土が十分に除去されるようになること、除去された泥土は、第１の篩い部を通して骨材の細かな粒子と共に、タンク底に沈降するが、沈降し切れない粒子は排水口より水と共に排出される。こうした分級と第１及び第２の篩い部による骨材の選別により一台の装置で、洗浄、分級、選別が行われること等の効果を奏する。
【００３４】
請求項２に係わる発明によると、洗浄ドラム内に骨材を送るための装置、例えば螺旋翼や送り板などが必要でないため洗浄ドラムの構成が簡単となり、骨材を送る装置の損耗も生ずることがない。
請求項３に係わる発明によると、螺旋翼を設けたことにより骨材が連続送りされ、送り部率が向上する。
【００３５】
請求項４に係わる発明によると、タンク底に溜まる泥土や骨材の排出送りが確実に行えるようになり、請求項５に係わる発明によると、タンクと洗浄ドラムを逆向きに回転させることによりタンク内の水の動きが激しくなり、骨材に付着する泥土の除去がより確実に行えるようになる。
【００３６】
請求項６に係わる発明によると、水切りはタンク内で行われ、しかも水の排出は主として分級のため排出口より溢れ出るものだけとなるから、水の使用量が少なくてすむ。
【図面の簡単な説明】
【図１】本発明に係わる分級装置の断面図。
【図２】図１のＡ−Ａ線概略断面図。
【図３】図１のＢ−Ｂ線概略断面図。
【符号の説明】
１・・排水口
２・・タンク
３ａ、３ｂ・・駆動装置
４・・洗浄ドラム
５・・選別ドラム
６・・フィーダ
７・・螺旋翼
８・・バケット
９・・排出シュート
１１・・コロ
１３・・モータ
１６・・連結板
１７・・多孔板
１８・・入口
１９・・掻き上げ板
２１・・投入口
２３・・第２の篩い部
【図１】
2004337747.tif 000003
【図２】
2004337747.tif 000004
【図３】
2004337747.tif 000005